(57)【要約】【課題】端子ねじと圧着端子との組み付けの不具合を防止できる端子台を提供する。【解決手段】端子台１０は、導電金具２、基台３、座金具４１（又は座金具４２）、付勢手段５、及びトリガー６を備える。導電金具２は、端子ねじ１のねじ部１ａが螺合する雌ねじ部２ａを設ける。基台３は、導電金具２を収容している。座金具４１（又は座金具４２）は、端子ねじ１の首部と回動自在に嵌合する座金片４ａ、座金片４ａが屈折されて導電金具２とスライド自在に連結する脚片４ｂ、及び座金片４ａを雌ねじ部２ａから離間したトップ位置で停止させる停止片４ｃを有する。付勢手段５は、座金片４ａが雌ねじ部２ａから離間する方向に座金具に力を付勢する。トリガー６は、内壁３３ａに突出する係止爪６ｂを有する。係止爪６ｂは、端子ねじ１が仮止め状態になるように、座金片４ａに当接して停止させる停止面６１を有する。【選択図】図１
2011003295.tif 000002
【特許請求の範囲】
【請求項１】
端子ねじのねじ部が螺合する雌ねじ部を設ける導電金具と、
この導電金具を収容する基台と、
前記端子ねじの首部と回動自在に嵌合する座金片、この座金片の一辺がＬ字状に屈折されて前記導電金具とスライド自在に連結する脚片、及びこの脚片に設けられて前記座金片を雌ねじ部から離間したトップ位置で停止させる停止片を有する座金具と、
前記座金片が前記雌ねじ部から離間する方向に前記座金具に力を付勢する付勢手段と、
前記基台に設けた少なくとも一つの内壁に突出する係止爪を有するトリガーと、を備え、
前記係止爪は、前記端子ねじの先端部が前記雌ねじ部に極めて近接した位置で前記座金片に当接して停止させる停止面を有する端子台。
【請求項２】
前記係止爪は、前記端子ねじを前記雌ねじ部に向かって移動すると、当該係止爪を前記内壁から後退させると共に、前記座金片が当該係止爪を乗り越え可能な曲面を有する請求項１記載の端子台。
【請求項３】
前記トリガーは、先端部に前記係止爪を設け、基端部を前記基台に支持する片持ち状の板ばねを有する請求項１又は２記載の端子台。
【発明の詳細な説明】
【技術分野】
【０００１】
本発明は、端子台に関する。特に、端子ねじと圧着端子との組み付けの不具合を防止する端子台の構造に関する。
【背景技術】
【０００２】
端子台は、複数の導体間の相互接続を容易にするために、絶縁性のハウジング又は基台に端子を組み付けている。端子台は、複数の導体を接続、中継、又は分岐できる。一般に、端子台は、導電金具を基台に設けている。そして、電線の端末に結線された圧着端子を端子ねじで導電金具にねじ止めし、圧着端子と導電金具を電気的に接続している。
【０００３】
このような端子台としては、圧着端子と導電金具との接続作業を容易にするために、導電金具に設けた雌ねじ部から端子ねじを離間した状態で支持するように構成した、いわゆる、ねじアップ式の端子台が開示されている（例えば、特許文献１参照）。
【０００４】
特許文献１による端子台は、圧縮コイルばねなどの付勢手段が雌ねじ部から端子ねじを離間するように、常時、力を付勢しているので、端子ねじの先端部が雌ねじ部から容易に離間できるというメリットがある。
【０００５】
しかし、特許文献１による端子台は、端子ねじの先端部が雌ねじ部に極めて近接した状態、いわゆる仮止め状態を維持するのが困難であるという不具合がある。したがって、端子ねじのねじ部が丸形圧着端子の開口（スタッドホール）に貫通することなく、丸形圧着端子の端部を端子ねじで導電金具と挟持するなど、接続不良を発生しかねないという不具合がある。
【０００６】
このような不具合を解消するため、端子ねじの仮止め状態を維持できると共に、端子ねじと雌ねじ部との螺合を解除すると、端子ねじが雌ねじ部から十分に離間した状態、いわゆるトップ位置に端子ねじを復帰できる端子台が開示されている（例えば、特許文献２参照）。
【０００７】
特許文献２による端子台は、端子ねじを保持する保持金具を備え、コイルバネによって上方向に付勢された保持金具の突起が係止凸部と係合することで、端子ねじの仮止めが可能である、としている。
【０００８】
一方、端子ねじを導電金具の雌ねじ部と螺合させるために仮止め位置から雌ねじ部上に移動させる際には、上下方向に沿って形成された案内溝に保持金具の突起が嵌ることになる。これにより、雌ねじ部に対する端子ねじの螺合を解除して取り外す場合には、コイルバネの付勢力により上下方向に沿って端子ねじがトップ位置に復帰できる、としている。
【先行技術文献】
【特許文献】
【０００９】
【特許文献１】特開２０００−０６７９４６号公報
【特許文献２】特開２００８−１０３２３０号公報
【発明の概要】
【発明が解決しようとする課題】
【００１０】
しかし、特許文献２による端子台は、トップ位置から端子ねじを押し下げる押下動作に伴って、保持部材が正立姿勢から傾斜姿勢に移行する第１の姿勢変化と、端子ねじの仮止め位置から端子ねじの先端を雌ねじ部の入口に移動させる動作に伴って、保持部材が傾斜姿勢から正立姿勢に復帰する第２の姿勢変化とを、端子ねじの頭部に係合する工具（ドライバー）の操作に多くを依存しているという問題がある。
【００１１】
端子ねじの頭部に係合するドライバーの操作に依存することなく、端子ねじの仮止め状態を維持できると共に、端子ねじと雌ねじ部との螺合を解除すると、端子ねじが雌ねじ部から十分に離間したトップ位置に端子ねじを復帰できる端子台が実現できれば、圧着端子と導電金具との接続作業が容易であり、端子ねじと圧着端子との組み付けの不具合を防止できる。そして、以上のことが本発明の課題といってよい。
【００１２】
本発明は、このような問題に鑑みてなされたものであり、圧着端子と導電金具との接続作業が容易であり、端子ねじと圧着端子との組み付けの不具合を防止できる端子台を提供することを目的とする。
【課題を解決するための手段】
【００１３】
本発明者らは、上記目的を達成するため、端子ねじの仮止め状態を維持するトリガーを基台に設けることにより、上記の課題が解決可能なことを見出し、これに基づいて、以下のような新たな端子台を発明するに至った。
【００１４】
（１）本発明による端子台は、端子ねじのねじ部が螺合する雌ねじ部を設ける導電金具と、この導電金具を収容する基台と、前記端子ねじの首部と回動自在に嵌合する座金片、この座金片の一辺がＬ字状に屈折されて前記導電金具とスライド自在に連結する脚片、及びこの脚片に設けられて前記座金片を雌ねじ部から離間したトップ位置で停止させる停止片を有する座金具と、前記座金片が前記雌ねじ部から離間する方向に前記座金具に力を付勢する付勢手段と、前記基台に設けた少なくとも一つの内壁に突出する係止爪を有するトリガーと、を備え、前記係止爪は、前記端子ねじの先端部が前記雌ねじ部に極めて近接した位置で前記座金片に当接して停止させる停止面を有する。
【００１５】
（２）前記係止爪は、前記端子ねじを前記雌ねじ部に向かって移動すると、当該係止爪を前記内壁から後退させると共に、前記座金片が当該係止爪を乗り越え可能な曲面を有することが好ましい。
【００１６】
（３）前記トリガーは、先端部に前記係止爪を設け、基端部を前記基台に支持する片持ち状の板ばねを有することが好ましい。
【発明の効果】
【００１７】
本発明による端子台は、端子ねじの先端部が前記雌ねじ部に極めて近接した仮止め状態になるように、座金片に当接して停止させるトリガーを備えているので、仮止め状態において、端子ねじのねじ部が丸形圧着端子のスタッドホールに係合している。したがって、丸形圧着端子の端部を端子ねじで導電金具と挟持するなど、丸形圧着端子との接続不良を防止できる。
【００１８】
又、本発明による端子台は、トリガーに設けた係止爪を後退させると、座金片を雌ねじ部から離間したトップ位置に移動することができる。このように、本発明による端子台は、端子ねじの頭部に係合するドライバーの操作に依存することなく、トップ位置に端子ねじを復帰できる。
【図面の簡単な説明】
【００１９】
【図１】本発明の一実施形態による端子台の構成を示す斜視分解組立図である。
【図２】前記実施形態による端子台の構成を示す正面図である。
【図３】前記実施形態による端子台を連設した多極形端子台の外観を示す斜視図である。
【図４】前記実施形態の変形例による端子台の構成を示す正面図である。
【発明を実施するための形態】
【００２０】
以下、図面を参照して本発明を実施するための形態を説明する。
【００２１】
最初に、本発明の一実施形態による端子台の構成を説明する。図１は、本発明の一実施形態による端子台の構成を示す斜視分解組立図である。図２は、前記実施形態による端子台の構成を示す正面図である。図３は、前記実施形態による端子台を連設した多極形端子台の外観を示す斜視図である。
【００２２】
図１又は図２を参照すると、実施形態による端子台１０は、導電金具２と基台３を備えている。導電金具２は、例えば、導電性の鉄板からなり、帯板部２１の両翼が略直角に屈折された一対の屈折片２２・２２を有している。そして、帯板部２１の両端部には、端子ねじ１のねじ部１ａが螺合する一対の雌ねじ部２ａ・２ａを設けている。雌ねじ部２ａは、ボス加工されており、所定のねじ山数を確保している。
【００２３】
図１を参照すると、帯板部２１には、一対の切り欠き溝２ｂ・２ｂを一方の端縁に設けている。これらの切り欠き溝２ｂ・２ｂには、一対の脚片４ｂ・４ｂが挿入されて、座金具４１又は座金具４２をスライド可能に案内できる。
【００２４】
又、図１を参照すると、帯板部２１には、一対の凸部２ｃ・２ｃを一方の端縁に設けている。これらの凸部２ｃ・２ｃは、基台３に設けた一対の凹部３ｃ・３ｃに挿入されて、基台３に対して導電金具２を位置決めして収容できる。
【００２５】
図１又は図２を参照すると、基台３は、非導電性の材料からなり、絶縁性の合成樹脂を成形している。そして、基台３は、鍔状の背面板３１を有している。図３を参照すると、複数の基台３を相互に連設することもでき、背面板３１は、隣接する端子ねじ１を隔絶する隔壁として機能している。
【００２６】
図１又は図２を参照すると、基台３は、一対の受け部３２・３２を中段に有している。一対の受け部３２・３２は、一対の屈折片２２・２２を支持できる。又、基台３は、一対のリブ３３・３３を上段の中央部に有している。
【００２７】
図１又は図２を参照すると、基台３は、背面板３１とリブ３３で囲われた空間を凹部３４としている。そして、凹部３４の底面に導電金具２が配置されている。又、凹部３４を形成する内壁３３ａと対向するガイド片３５が背面板３１から僅かに突出している。ガイド片３５は、座金片４ａの運動を規制することができる。
【００２８】
図１又は図２を参照すると、端子台１０は、一対の座金具４１・４２を備えている。一対の座金具４１・４２は、導電性の鉄板からなることが好ましい。座金具４１は、座金片４ａ、脚片４ｂ、及び停止片４ｃを有している。同様に、座金具４２は、座金片４ａ、脚片４ｂ、及び停止片４ｃを有している。
【００２９】
なお、図１又は図２を参照すると、座金具４１と座金具４２とは、基台３の中心線に対して線対称に配置されるように構成されている。又、座金具４１と座金具４２とは、その作用を同じとするので、以下において、一方の座金具の説明のみとし、他方の座金具の説明を割愛する場合がある。
【００３０】
図１又は図２を参照すると、座金片４ａは、スプリングワッシャ１１を介して、端子ねじ１の首部と回動自在に嵌合している。つまり、端子ねじ１、スプリングワッシャ１１、及び座金片４ａは、一体に移動でき、座金片４ａに対して端子ねじ１を回転できる。このような座金組み込みねじは、座金の貫通穴を鍛造する（かしめる）ことで実現できる。
【００３１】
図１又は図２を参照すると、脚片４ｂは、座金片４ａの一辺がＬ字状に屈折されている。又、脚片４ｂは、導電金具２とスライド自在に連結している。停止片４ｃは、脚片４ｂの端部がＬ字状に屈折されて、座金片４ａに対向している。停止片４ｃは、雌ねじ部２ａに当接して、座金片４ａを雌ねじ部２ａから離間したトップ位置で停止できる。
【００３２】
図１又は図２を参照すると、端子ねじ１は、ねじ部１ａ及び頭部１ｂを有している。図示された端子ねじ１は、頭部１ｂに十字穴を設けた「なべ子ねじ」となっている。ねじ部１ａには、雌ねじ部２ａに螺合する雄ねじが形成されている。端子ねじ１の首部は、スプリングワッシャ１１を介して、座金片４ａと回動自在に嵌合している。端子ねじ１と座金具４１（又は座金具４２）とは、一体に移動できる。
【００３３】
又、図１又は図２を参照すると、端子台１０は、一対の付勢手段５となるねじりコイルばね５１・５２を備えている。ねじりコイルばね５１は、座金片４ａが雌ねじ部２ａから離間する方向に座金具４１に力を付勢している。同様に、ねじりコイルばね５２は、座金片４ａが雌ねじ部２ａから離間する方向に座金具４２に力を付勢している。
【００３４】
なお、図１又は図２を参照すると、ねじりコイルばね５１とねじりコイルばね５２とは、基台３の中心線に対して線対称に配置されるように、それらの巻回方向を異ならせて構成している。又、ねじりコイルばね５１とねじりコイルばね５２とは、その作用を同じとするので、以下において、一方のねじりコイルばねの説明のみとし、他方のねじりコイルばねの説明を割愛する場合がある。
【００３５】
図１又は図２を参照すると、ねじりコイルばね５１は、巻回部５ａ、一方の端末となる長いアーム５ｂ、及び他方の端末となる短いアーム５ｃを有して構成している。巻回部５ａは、基台３に設けた円柱部３６に挿入される。
【００３６】
図１又は図２を参照すると、長いアーム５ｂは、停止片４ｃの底面に当接している。一方、短いアーム５ｃは、円柱部３６を囲う内壁に当接している。長いアーム５ｂと短いアーム５ｃとは、開角する方向に力を付勢している。つまり、ねじりコイルばね５１は、停止片４ｃを押し上げる方向に力を付勢している。
【００３７】
更に、図１又は図２を参照すると、端子台１０は、内壁３３ａに突出する係止爪６ｂを有するトリガー６を備えている。トリガー６は、倒立したＭの字状に形成された板ばね６ａと、板ばね６ａの先端部に固定され、相反する向きに向かう一対の円柱状の係止爪６ｂ・６ｂと、を有している。例えば、係止爪６ｂは、板ばね６ａの先端部に溶接で固定されている。
【００３８】
図１又は図２を参照すると、板ばね６ａの中央部は、基台３に設けた円弧状の溝部３７に挿入されて、支持されている。係止爪６ｂは、凹部３４を形成する内壁３３ａに突出している。又、係止爪６ｂは、僅かに傾斜した平坦な停止面６１、及び停止面６１と反対側に設けた曲面６２を先端部に有している。
【００３９】
次に、本発明の実施形態による端子台１０の作用を説明する。
【００４０】
図２を参照すると、図２の左側は、端子ねじ１を導電金具２の雌ねじ部２ａに締結した状態図である。一方、図２の右側は、端子ねじ１の先端部が雌ねじ部２ａに極めて近接した仮止め状態である。
【００４１】
図１を参照すると、端子台１０には、圧着端子９が接続される。圧着端子９は、電線９ｗの端末を結線している。図示された圧着端子９は、丸形圧着端子を示している。そして、圧着端子９の舌部９ｓには、端子ねじ１のねじ部１ａが入るスタッドホール９ｈを開口している。
【００４２】
図１又は図２を参照すると、通常は、圧着端子９のスタッドホール９ｈに端子ねじ１のねじ部１ａが挿通されて、端子ねじ１が雌ねじ部２ａに締結することにより、圧着端子９と導電金具２とが電気的に接続される。
【００４３】
図１又は図２を参照すると、例えば、一方の電線９ｗを電源側電力線としてよく、他方の電線９ｗを負荷側電力線としてよく、それぞれの電線９ｗの端末に結線した圧着端子９を導電金具２の両翼にねじ止めして、電源側と負荷側とを電気的に接続できる。
【００４４】
図１又は図２を参照すると、係止爪６ｂは、端子ねじ１を雌ねじ部２ａに向かって移動すると、係止爪６ｂを内壁３３ａから後退させると共に、座金片４ａが係止爪６ｂを乗り越え可能な曲面６２を有している。
【００４５】
又、トリガー６は、先端部に係止爪６ｂを設け、基端部を基台３に支持する片持ち状の板ばね６ａとなっている。
【００４６】
図２を参照して、図示しない工具（ドライバー）を用いて、トップ位置から端子ねじ１を押し下げると、座金片４ａの縁端が係止爪６ｂの曲面６２に当接して、係止爪６ｂを後退させることができる。
【００４７】
図２を参照して、端子ねじ１を更に押し下げると、係止爪６ｂが内壁３３ａに突出して、端子ねじ１の先端部が雌ねじ部２ａに極めて近接した位置で、端子ねじ１を停止することができる。係止爪６ｂの停止面６１が座金片４ａに当接して、端子ねじ１の移動を停止できる。すなわち、端子ねじ１を仮止め状態に保持することができる。
【００４８】
このように、本発明の実施形態による端子台１０は、端子ねじ１の先端部が雌ねじ部２ａに極めて近接した仮止め状態になるように、座金片４ａに当接して停止させるトリガー６を備えているので、仮止め状態において、端子ねじ１のねじ部１ａが舌部９ｓのスタッドホール９ｈに係合している。したがって、舌部９ｓの端部を端子ねじ１で導電金具２と挟持するなど、圧着端子９との接続不良を防止できる。
【００４９】
一方、図１又は図２を参照して、図示しない工具（ドライバー）を用いて、締結が緩む方向に端子ねじ１を回転すると、座金片４ａが導電金具２から離反する方向に移動する。この移動の過程では、脚片４ｂが切り欠き溝２ｂに案内されているので、座金片４ａは上昇する方向のみに運動が規制される。
【００５０】
図２を参照すると、端子ねじ１のねじ部１ａの先端部が雌ねじ部２ａに極めて近接した仮止め状態では、ねじ部１ａと雌ねじ部２ａの螺合が解除されている。この仮止め状態では、端子ねじ１は移動が規制されているので、例えば、予め組み付けられた圧着端子９（図１参照）の不用意な飛び出しを防止できる。
【００５１】
図２を参照すると、ねじりコイルばね５１は、座金具４２を介して、端子ねじ１が上昇する方向に力を付勢している。そして、仮止め状態から、トリガー６に設けた係止爪６ｂを図示しない工具などで押して、係止爪６ｂを後退させると、ねじりコイルばね５１に付勢されて、端子ねじ１及び座金具４２が一体となって上昇する。なお、座金片４ａの下面を図示しない工具でこじ上げて、係止爪６ｂを後退させることもできる。
【００５２】
図２を参照すると、停止片４ｃが雌ねじ部２ａの下面に当接すると、座金具４２が停止して、座金片４ａを雌ねじ部２ａから離間したトップ位置に移動することができる（図２の想像線を参照）。
【００５３】
このように、本発明の実施形態による端子台１０は、導電金具２に設けた雌ねじ部２ａから端子ねじ１を離間した状態で支持するように構成した、ねじアップ式の端子台を実現している。又、本発明の実施形態による端子台１０は、端子ねじ１の頭部１ｂに係合するドライバーの操作に依存することなく、トップ位置に端子ねじ１を復帰できる。
【００５４】
このように、本発明の実施形態による端子台１０は、圧着端子９と導電金具２との接続作業が容易であり、端子ねじ１と圧着端子９との組み付けの不具合を防止できる端子台を提供できる。
【００５５】
次に、本発明の実施形態の変形例による端子台２０の構成及び作用を説明する。図４は、前記実施形態の変形例による端子台の構成を示す正面図である。
【００５６】
図４に示された端子台２０は、図１又は図２に示された端子台１０に設けたトリガー６をトリガー７に置き換えたものである。そして、図４の説明において、図１から図３で用いた符号と同じ符号の構成品は、その作用を同一とするので説明を割愛する場合がある。
【００５７】
図４を参照すると、端子台２０は、トリガー７を備えている。トリガー７は、倒立したＭの字状に形成された板ばね７ａと、板ばね７ａの先端部に形成され、相反する向きに向かう一対の係止爪７ｂ・７ｂと、を有している。係止爪７ｂは、板ばね７ａの先端部に成形されている。
【００５８】
図４を参照すると、板ばね７ａの中央部は、基台３に設けた円弧状の溝部３７に挿入されて、支持されている。係止爪７ｂは、凹部３４を形成する内壁３３ａに突出している。又、係止爪７ｂは、僅かに傾斜した平坦な停止面７１、及び停止面７１と反対側に設けた曲面７２を先端部に有している。
【００５９】
本発明の実施形態の変形例による端子台２０は、端子ねじ１の先端部が雌ねじ部２ａに極めて近接した仮止め状態になるように、座金片４ａに当接して停止させるトリガー７を備えているので、仮止め状態において、端子ねじ１のねじ部１ａが舌部９ｓのスタッドホール９ｈに係合している。したがって、舌部９ｓの端部を端子ねじ１で導電金具２と挟持するなど、圧着端子９との接続不良を防止できる。
【００６０】
又、図４を参照して、図示しない工具（ドライバー）を用いて、トップ位置から端子ねじ１を押し下げると、座金片４ａの縁端が係止爪７ｂの曲面７２に当接して、係止爪７ｂを後退させることができる。そして、端子ねじ１を更に押し下げて、雌ねじ部２ａに螺合することができる。
【００６１】
このように、係止爪７ｂは、端子ねじ１を雌ねじ部２ａに向かって移動すると、係止爪７ｂを内壁３３ａから後退させると共に、座金片４ａが係止爪６ｂを乗り越え可能な曲面７２を有している。
【００６２】
又、トリガー７は、先端部に係止爪７ｂを設け、基端部を基台３に支持する片持ち状の板ばね７ａとなっている。
【００６３】
端子台１０に備わるトリガー６は、板ばね６ａと係止爪６ｂとを別体で構成しているのに対し、端子台２０に備わるトリガー７は、板ばね６ａと係止爪６ｂとを一体で構成しているという違いがある。トリガー６と比較すると、トリガー７は製造が容易であるという利点がある。
【００６４】
本発明の実施形態の変形例による端子台２０は、圧着端子９と導電金具２との接続作業が容易であり、端子ねじ１と圧着端子９との組み付けの不具合を防止できる端子台を提供できる。
【００６５】
本発明による端子台は、実施形態に限定されない。本発明の技術的思想を応用した端子台は、全て本発明の端子台に含まれる。例えば、本発明による端子台における基台は、図示された形状に限定されない。公知の基台が適宜、適用可能である。
【符号の説明】
【００６６】
１  端子ねじ
１ａ  ねじ部
２  導電金具
２ａ  雌ねじ部
３  基台
４ａ  座金片
４ｂ  脚片
４ｃ  停止片
６  トリガー
６ｂ  係止爪
１０  端子台
３３ａ  内壁
４１・４２  座金具
５１・５２  ねじりコイルばね（付勢手段５）
６１  停止面
【図１】
2011003295.tif 000003
【図２】
2011003295.tif 000004
【図３】
2011003295.tif 000005
【図４】
2011003295.tif 000006